(57)【要約】【課題】コネクタ及びケーブルの少なくともいずれかを確実に固定することができるコネクタ装置を提供すること。【解決手段】医療機器に接続可能なコネクタと、該コネクタに連結されたケーブルとを備えるコネクタ装置であって、コネクタ及びケーブルの少なくともいずれかに設けられ、多数のフックが設けられた面ファスナー用係合面を有する固定部材を備えている。これにより、固定部材は、面ファスナー用係合面に係合する面ファスナー用被係合面を有する部位に着脱可能となる。【選択図】  図６
2019067715.tif 000002
【特許請求の範囲】
【請求項１】
医療機器に接続可能なコネクタと、該コネクタに連結されたケーブルとを備えるコネクタ装置であって、
前記コネクタ及び前記ケーブルの少なくともいずれかに設けられ、多数のフックが設けられた面ファスナー用係合面を有する固定部材を備えていることを特徴とするコネクタ装置。
【請求項２】
前記固定部材は、前記コネクタに設けられていることを特徴とする請求項１に記載のコネクタ装置。
【請求項３】
前記固定部材は、前記ケーブルに設けられていることを特徴とする請求項１に記載のコネクタ装置。
【発明の詳細な説明】
【技術分野】
【０００１】
本発明は、患者に装着され、該患者及び胎児等の生体情報に関する信号を検出する電極パッド等の医療機器に接続されるコネクタ装置に関する。
【背景技術】
【０００２】
生体の皮膚表面に貼着して生体の生体信号を取得する生体用電極として、例えば特許文献１に記載されたものが知られている。
特許文献１に記載の生体用電極は、それぞれの一端が積層配置され、下面前面に粘着剤層が形成された上下一対の上部保持部材及び下部保持部材と、各保持部材間に挟持されるフィルム状の電極部材と、を備え、上部保持部材の積層される側の一辺が電極部材の一辺と合致するように上部保持部材が電極部材の全面を被覆し、電極部材を下部保持部材の積層側の一辺近傍に密着保持させている。このような生体用電極により生体信号を取得する際には、生体の皮膚表面に保持部材及び電極部材を、それぞれ粘着剤層を介して貼着し、ケーブルの先端に設けられた挟持部材で電極部材を挟持する。これにより、電極部材により検出された生体信号がケーブルを介して送信される。
【先行技術文献】
【特許文献】
【０００３】
【特許文献１】特開平１０−２７２１１０号公報
【発明の概要】
【発明が解決しようとする課題】
【０００４】
しかしながら、特許文献１の構成では、例えば生体が母体である場合に、母体の動き及び母体内の胎児の胎動などによりコネクタやケーブルが動くことがあり、生体信号にノイズが混じってしまう。具体的には、母体の動き又は胎児の胎動によりコネクタが動いて、該コネクタに接続されるケーブルに揺れや捻じれが生じたり、該ケーブルが引っ張られて電極パッドが母体から離れた状態になったりして、電極パッドにより検出される生体信号にノイズが混じってしまう。
【０００５】
本発明は、このような事情に鑑みてなされたもので、コネクタ及びケーブルの少なくともいずれかを確実に固定することができるコネクタ装置を提供することを目的とする。
【課題を解決するための手段】
【０００６】
本発明のコネクタ装置は、医療機器に接続可能なコネクタと、該コネクタに連結されたケーブルとを備えるコネクタ装置であって、前記コネクタ及び前記ケーブルの少なくともいずれかに設けられ、多数のフックが設けられた面ファスナー用係合面を有する固定部材を備えている。
【０００７】
本発明では、コネクタ及びケーブルの少なくともいずれかに面ファスナー用係合面が設けられているので、固定部材の面ファスナー用係合面を、面ファスナー用被係合面を有する部位に固定することができ、コネクタ及びケーブルの少なくとも一方を確実に固定できる。
【０００８】
本発明のコネクタ装置の好ましい態様としては、前記固定部材は、前記コネクタに設けられているとよい。
上記態様では、面ファスナー用被係合面を有する部位にコネクタを確実に固定できる。このため、医療機器に接続されたコネクタを抜けにくくすることができる。
【０００９】
本発明のコネクタ装置の好ましい態様としては、前記固定部材は、前記ケーブルに設けられているとよい。
上記態様では、面ファスナー用被係合面を有する部位にケーブルを確実に固定できる。例えば、被検体に装着された腹巻や包帯など、面ファスナー用被係合面を有する部位であれば、どのような部位であっても固定できる。また、ケーブルに固定部材が設けられているので、ケーブルが絡まったりすることを抑制できる。
【発明の効果】
【００１０】
本発明によれば、コネクタ及びケーブルの少なくともいずれかを確実に固定することができる。
【図面の簡単な説明】
【００１１】
【図１】本発明の一実施形態に係る生体情報検出装置の概略攻勢を示す模式図である。
【図２】上記実施形態における生体情報検出装置の第１電極パッドを粘着シート側から見た平面図である。
【図３】上記実施形態における第１電極パッドを剥離フィルム側から見た平面図である。
【図４】上記実施形態における第１電極パッドにコネクタが接続された状態を示す平面図である。
【図５】図４に示すＡ１−Ａ１線にて第１電極パッドを切断した断面を示す断面図である。
【図６】図４に示すＢ１−Ｂ１線にて第１電極パッド及びコネクタを切断した断面の概略を示す概略断面図である。
【図７】上記実施形態におけるコネクタの裏面を示す平面図である。
【図８】上記実施形態におけるコネクタの固定部材と第１電極パッドの固定部材を示す概略図である。
【図９】上記実施形態における生体情報検出装置に接続される第２電極パッドを剥離フィルム側から見た平面図である。
【図１０】上記実施形態における生体情報検出装置に接続される第３電極パッドを剥離フィルム側から見た平面図である。
【図１１】上記実施形態における各電極パッドが母体に装着される一例を示す図である。
【図１２】上記実施形態における電極パッドの変形例を示す平面図である。
【図１３】上記実施形態におけるケーブルに設けられる固定部材を示す平面図である。
【図１４】上記実施形態におけるケーブルが固定部材により腹巻に固定される一例を示す図である。
【図１５】上記実施形態におけるケーブルの固定部材の係合面と腹巻の面ファスナー用被係合面を示す概略図である。
【図１６】上記実施形態におけるケーブルが固定部材により包帯に固定される一例を示す図である。
【発明を実施するための形態】
【００１２】
以下、本発明の生体情報検出装置の実施形態について、図面を参照して説明する。
［生体情報検出装置の概略構成］
本実施形態の生体情報検出装置１は、本発明の医療機器に相当し、図１に示すように、本体２及び複数の電極パッド４を備えている。本体２は、筐体２１、表示部２２及び複数のケーブル２３を備え、筐体２１内には、記録紙２４が設けられている。これら複数のケーブル２３のそれぞれは、各コネクタ３に接続されており、各コネクタ３は、対応する各電極パッド４に接続自在に設けられている。すなわち、コネクタ３及びケーブル２３により本発明のコネクタ装置が構成される。
電極パッド４は、母体６（図１１参照）内にいる胎児（被験者）の生体情報に関する電気信号を受信し、この生体情報に関する電気信号（以下、生体電気信号という）を本体２にコネクタ３及びケーブル２３を介して送信する。なお、生体電気信号には、例えば、心拍信号や呼吸信号、筋電信号等が含まれる。
【００１３】
本体２は、電極パッド４から出力された生体電気信号を受信し、母体６内にいる胎児の心拍数（胎児心拍数）を演算し、これらを表示部２２に表示するとともに、筐体２１内に設けられた記録紙２４に胎児心拍数を印字する。この本体２は、胎児心拍数の表示や印字と共に、または、表示や印字に代えて、胎児心拍数を図示しないメモリに格納してもよい。
本実施形態の生体情報検出装置１は、電極パッド４にコネクタ３が装着された際の、コネクタ３の電極パッド４への固定構造に特徴を有している。
なお、図１においては、筐体２１には、４本のケーブル２３が接続されている例を示したが、実際には多数（例えば、図１１の例では５本）のケーブル２３が設けられている。
また、以下の説明では、電極パッド４が母体６に装着される際に母体６に当接する面を当接面４ａとし、母体６と反対側に位置する面を天面４ｂとして説明する。
【００１４】
［第１電極パッドの構成］
第１電極パッド４は、母体６に装着可能で、該母体６内の胎児の生体情報に関する信号（生体電気信号）を検出する。この第１電極パッド４は、図５に示すように、天面４ｂ側から順に、天面４ｂとは反対面に粘着面を有する粘着シート４１と、粘着面に粘着されるＰＥＴフィルム４２と、ＰＥＴフィルム４２の天面４ｂとは反対面に形成された電磁波シールド層４３と、電磁波シールド層４３の当接面４ａ側に位置する第１絶縁層４４と、第１絶縁層４４の当接面４ａ側に位置するセンサ部４５及び信号線４６（接続部４６１）と、第１絶縁層４４の当接面４ａ側に位置し、かつ、センサ部４５の周囲に位置する第２絶縁層４７と、センサ部４５及び第２絶縁層４７の当接面４ａ側に位置し、平面視で円形状の導電性ゲルシート４９と、導電性ゲルシート４９の当接面４ａ側に位置する剥離フィルム５０と、を備えており、粘着シート４１と剥離シート５０とは、外周縁が導電性ゲルシート４９等より張り出しており、その外側同士が接着されている。
これらのうち、センサ部４５及び信号線４６は、銀／塩化銀の蒸着等によるコーティング層により構成されている。電磁波シールド層４３は、銀／カーボンの蒸着等によるコーティング層により構成されている。また、後述する接続部４６１（図２参照）は、カーボン層４６２（図６参照）に銀／塩化銀がコーティングされることにより構成されている。
【００１５】
この第１電極パッド４は、図２及び図３に示すように、導電性ゲルシート４９の略中央にセンサ部４５が設けられ、該センサ部４５に接続された信号線４６が導電性ゲルシート４９の半径方向に延びており、接続部４６１は、導電性ゲルシート４９の外周縁より外側に配置されている。この接続部４６１は、コネクタ３に接続可能な部位であり、図２における上下方向に沿ってコネクタ３が接続される。
以下、この第１電極パッド４の各構成について詳しく説明する。
【００１６】
粘着シート４１は、例えば、片面（当接面側）に粘着面を有する不織布により構成され、図２に示すように、導電性ゲルシート４９が配置される第１領域Ａｒ１と、接続部４６１が配置される第２領域Ａｒ２と、を備えている。なお、図２の説明においては、紙面上の上下左右方向に合わせて各方向を説明する。
第１領域Ａｒ１は、導電性ゲルシート４９の外周縁に沿う形状であり、該導電性ゲルシート４９の外周縁よりも大きく形成され、平面視で略円形状に形成されている。
第２領域Ａｒ２は、平面視で略矩形状に形成されており、第１領域Ａｒ１の一方側（図２の左側）に張り出すように設けられている。
この場合、粘着シート４１の平面視において、粘着シート４１におけるコネクタ３が設けられる領域（第２領域Ａｒ２）の上下方向（コネクタ３の接続方向に沿う方向）の最大寸法Ｌ２は、導電性ゲルシート４９が設けられる領域（第１領域Ａｒ１）の上下方向（コネクタ３の接続方向に沿う方向）の最大寸法Ｌ１より小さくなっている。
【００１７】
また、粘着シート４１の第２領域Ａｒ２には、接続部４６１を粘着面とは反対側の面（天面）に露出させるための開口部４１１が設けられ、この開口部４１１の付近の粘着面とは反対側に、コネクタ３の固定部材３３（図４及び図６参照）と相互に着脱可能な固定部材４１２が設けられている。この固定部材４１２は、開口部４１１に対して接続部４６１の先端方向に設けられている。すなわち、開口部４１１と固定部材４１２とは、コネクタ３の接続方向に並んでいる。
この固定部材４１２は、例えば、面ファスナーにより構成され、開口部４１１に隣り合う位置（開口部４１１の下側近傍）に配置されている。
一般的に、面ファスナーは、フック状に起毛された側とループ状に密集して起毛された側とを押し付けることによりこれらが貼り付けられ、貼り付け及び取り外しを自在にできるようになっている。
【００１８】
ＰＥＴフィルム４２は、粘着シート４１の粘着面に設けられ、該粘着シート４１に直接粘着され固定されている。このＰＥＴフィルム４２は、図２〜図５に示すように、平面視で粘着シート４１よりも小さく、かつ、導電性ゲルシート４９、信号線４６及び接続部４６１を一括して支持し得る形状に形成されている。
電磁波シールド層４３は、センサ部４５への電磁波の入射を抑制する。この電磁波シールド層４３は、ＰＥＴフィルム４２の上記当接面側の面に銀／カーボンが蒸着されることにより形成されている。この電磁波シールド層４３は、図５に示すように、第１絶縁層４４とＰＥＴフィルム４２との間、すなわち、粘着シート４１の粘着面とセンサ部４５との間に位置し、平面視で導電性ゲルシート４９、センサ部４５、信号線４６を覆う形状に形成されている。
【００１９】
センサ部４５は、母体６内にいる胎児の生体情報に関する電気信号（生体電気信号）を受信する。このセンサ部４５は、平面視で略円形状に形成される皿電極であり、図２〜図４に示すように、導電性ゲルシート４９の中央に配置される。また、センサ部４５の周囲には、図５に示すように、第２絶縁層４７が設けられている。これにより、導電性ゲルシート４９を介して検出された生体電気信号は、センサ部４５のみに入射することとなる。
このようなセンサ部４５には、信号線４６が接続されている。この信号線４６は、図２〜図４に示すように、導電性ゲルシート４９の外周縁より外側まで延出している。
【００２０】
図３は、第１電極パッド４を剥離フィルム５０側から見た平面図であり、この図３を用いた以下の説明では、紙面上の上下左右方向に合わせて各方向を説明する。
この信号線４６は、図３に示すように、剥離フィルム５０側から見て、センサ部４５（導電性ゲルシート４９）の中心Ｐ１から導電性ゲルシート４９の半径方向に沿って右斜め上方向に直線状に延出し、その端部で下方向に向けて延びている。すなわち、信号線４６は、略Ｌ字状に延出しており、その先端に接続部４６１が設けられる。このため、接続部４６１は、図３の下方向に向けられている。つまり、コネクタ３の接続方向は、粘着シート４１の面方向で、かつ、センサ部４５から導電性ゲルシート４９の外周縁までの信号線４６の延出方向とは異なる方向となる。
【００２１】
接続部４６１は、コネクタ３に接続自在な部位であり、略矩形板状に形成されている。この接続部４６１は、コネクタ３に装着されることにより、センサ部４５から信号線４６を介して伝達された生体電気信号をケーブル２３に伝達する。この接続部４６１は、図６に示すように、粘着シート４１の開口部４１１を介して粘着面とは反対側の面においてコネクタ３に接続される。
この接続部４６１は、導電性のカーボン層４６２（図６参照）に銀／塩化銀がコーティングされることにより形成され、信号線４６に連絡される部分を除いてスリットによりＰＥＴフィルム４２とともに切り離され、曲げ起こすことができるようになっている。
【００２２】
導電性ゲルシート４９は、母体６に粘着可能な導電性を有するシートであり、剥離フィルム５０側から見た場合に、センサ部４５に重なるように配置される。この導電性ゲルシート４９は、上述したように、平面視で略円形状に形成され、母体６に装着されることにより、母体６内の胎児の生体電気信号をセンサ部４５に伝達させる。
剥離フィルム５０は、導電性ゲルシート４９及び粘着シート４１の外周縁に対向して配置され、該剥離フィルム５０を剥がすことにより、導電性ゲルシート４９が露出し、第１電極パッド４が母体６に貼付可能となる。この剥離フィルム５０は、平面視で粘着シート４１と略同形状に形成され、粘着シート４１よりも若干大きなサイズに形成されている。
【００２３】
［コネクタの構成］
コネクタ３は、ケーブル２３に接続され、第１電極パッド４の接続部４６１に接続自在に設けられる。このようなコネクタ３は、図６に示すように、接続部４６１が挿入される開口部３２と、開口部３２に挿入された接続部４６１を固定するロック片３１と、コネクタ３を第１電極パッド４に固定する固定部材３３とを備えている。このコネクタ３は、直方体状に形成され、上面にロック片３１が配置され、一端面に開口部３２が位置し、他端面にケーブル２３が連結されている。
ロック片３１は、該ロック片３１の開口部３２側の端部を中心に回動する。このロック片３１を起こした状態にて、開口部３２に接続部４６１を挿入し、該ロック片３１を倒すように回動させると、接続部４６１がコネクタ３に固定され、ケーブル２３に接続される。
【００２４】
また、固定部材３３は、略直方体状に形成されたコネクタ３の側面の一部に設けられ、具体的には、図７に示すように、ロック片３１とは反対側の面（上記下面）の後端部側（ケーブル２３側）に設けられている。この固定部材３３は、上述したように多数のフック状に起毛された面ファスナーにより構成される面ファスナー用係合面３３１を有している。この面ファスナー用係合面３３１には、図８に示すように、キノコ状のフックが多数設けられている。一方、第１電極パッド４の固定部材４１２は、ループ状に密集して起毛された面ファスナーにより構成され、多数のフック状に起毛された上記面ファスナー用係合面３３１に係合する面ファスナー用被係合面４１３を有し、第１電極パッド４の固定部材４１２に着脱可能に構成されている。この固定部材４１２の面ファスナー用被係合面４１３には、図８に示すように、面ファスナー用係合面３３１に形成されたキノコ状のフックを絡めて固定するための多数のループが形成されている。このため、固定部材３３は、図４及び図６に示すように、接続部４６１を固定した際に第１電極パッド４の固定部材４１２の面ファスナー用被係合面４１３と対向するように設けられ、これにより接続部４６１が装着されたコネクタ３が第１電極パッド４に固定される。
なお、面ファスナー用係合面３３１は、キノコ状のフックが多数形成されていることとしたが、これに限らず、例えば、鍵状や釣り針状のフックが多数形成されていてもよい。すなわち、固定部材４１２の面ファスナー用被係合面４１３に固定できる形状であればよい。
【００２５】
なお、第１電極パッド４は、センサ部４５、導電性ゲルシート４９及び信号線４６を一組備える構成であるが、例えば、これらを複数組備える構成としてもよい。以下に、センサ部４５を複数備える電極パッドについて詳しく説明する。
［第２電極パッドの構成］
図９は、第２電極パッド４Ａを剥離フィルム５０Ａ側から見た平面図である。なお、以下の説明では、第１電極パッド４と同一又は略同一の部材については同番号を付し、説明を省略又は簡略化する。また、図９の説明においては、紙面上の上下左右方向に合わせて各方向を説明する。なお、図１０においても同様である。
第２電極パッド４Ａは、図９に示すように、センサ部４５，４５Ｒ、信号線４６，４６Ｒ及び導電性ゲルシート４９，４９Ｒを有している。この第２電極パッド４Ａの粘着シート４１Ａは、図９に示すように、センサ部４５、導電性ゲルシート４９及び信号線４６の一組を含む第１領域Ａｒ１及び接続部４６１Ａを含む第２領域Ａｒ２に加えて、センサ部４５Ｒ、導電性ゲルシート４９Ｒ及び信号線４６Ｒが配置される第３領域Ａｒ３を更に備えている。この第３領域Ａｒ３は、第１領域Ａｒ１に対して第２領域Ａｒ２を挟んで反対側に配置されている。このため、第２電極パッド４Ａの粘着シート４１Ａでは、図９に示すように、第１領域Ａｒ１と第３領域Ａｒ３とが左右に配置され、その間に第２領域Ａｒ２が配置されている。これらのうち、第１領域Ａｒ１及び第２領域Ａｒ２は、上記第１電極パッド４と同様の構成であり、第３領域Ａｒ３は、第１電極パッド４の図５で示す層構造と同様の構成であり、導電性ゲルシート４９Ｒの外周縁に沿う形状で、該導電性ゲルシート４９Ｒの外周縁よりも大きく形成され、平面視で略円形状に形成されている。
【００２６】
第１領域Ａｒ１の信号線４６は、上述したように、剥離フィルム５０Ａ側から見て、第１領域Ａｒ１におけるセンサ部４５の中心Ｐ１から導電性ゲルシート４９の半径方向に沿って右斜め上方向に直線状に延出し、その端部で下方向に向けて延出している。
また、第３領域Ａｒ３の信号線４６Ｒは、図９に示すように、剥離フィルム５０Ａ側から見て、第３領域Ａｒ３におけるセンサ部４５Ｒの中心Ｐ２から導電性ゲルシート４９Ｒの半径方向に沿って左斜め上方向に直線状に延出し、その端部で下方向に向けて延出している。すなわち、信号線４６，４６Ｒのそれぞれは、略Ｌ字状に延出し、かつ先端部が纏められており、これら信号線４６，４６Ｒが纏められた部位の先端に接続部４６１Ａが設けられる。このため、接続部４６１Ａの延出方向は、図９の下方向に向けられている。つまり、コネクタ３の接続方向は、粘着シート４１Ａの面方向で、かつ、センサ部４５，４５Ｒから導電性ゲルシート４９，４９Ｒの外周縁までの信号線４６，４６Ｒの延出方向とは異なる方向となる。
接続部４６１Ａは、粘着シート４１Ａにおける隣り合う導電性ゲルシート４９，４９Ｒ間に位置しており、複数の信号線４６，４６Ｒに対して１個設けられている。
【００２７】
このような構成により、粘着シート４１Ａの平面視において、粘着シート４１Ａにおけるコネクタ３が設けられる領域（第２領域Ａｒ２）の上下方向（コネクタ３の接続部４６１への接続方向に沿う方向）の最大寸法Ｌ３は、導電性ゲルシート４９，４９Ｒが設けられる領域（第１及び第３領域Ａｒ１，Ａｒ３）の上下方向の最大寸法Ｌ１より小さくなっている。
また、第２領域Ａｒ２には、上記開口部４１１及び固定部材４１２と同形状の開口部４１１Ａ及び固定部材４１２Ａが設けられている。すなわち、接続部４６１Ａ、開口部４１１Ａ及び固定部材４１２Ａは、２つの導電性ゲルシート４９の間で余白となっている部分に設けられている。
この接続部４６１Ａがコネクタ３に接続されると、各導電性ゲルシート４９，４９Ｒを介してセンサ部４５，４５Ｒに検出された生体電気信号が各信号線４６，４６Ｒ及び接続部４６１Ａを介してコネクタ３に送信される。
【００２８】
［第３電極パッドの構成］
図１０は、第３電極パッド４Ｂを剥離フィルム５０Ｂ側から見た平面図である。
第３電極パッド４Ｂは、図１０に示すように、センサ部４５，４５Ｒ，４５Ｌ、信号線４６，４６Ｒ、４６Ｌ及び導電性ゲルシート４９，４９Ｒ，４９Ｌを有している。この第３電極パッド４Ｂの粘着シート４１Ｂは、平面視で略Ｖ字状に形成され、図１０に示すように、センサ部４５、導電性ゲルシート４９及び信号線４６の一組を含む第１領域Ａｒ１、接続部４６１Ｂを含む第２領域Ａｒ２、センサ部４５Ｒ、導電性ゲルシート４９Ｒ及び信号線４６Ｒの一組を含む第３領域Ａｒ３に加えて、センサ部４５Ｌ、導電性ゲルシート４９Ｌ及び信号線４６Ｌの一組を含む第４領域Ａｒ４を更に備えている。この第４領域Ａｒ４は、第１領域Ａｒ１の左斜め上側に配置されている。このため、第３電極パッド４Ｂの粘着シート４１Ｂでは、第４領域Ａｒ４と第３領域Ａｒ３とが左右両端に配置され、その間に第１領域Ａｒ１及び第２領域Ａｒ２が配置されている。これらのうち、第１〜第３領域Ａｒ１，Ａｒ２，Ａｒ３は、上記第２電極パッド４Ａと同様の構成である。第４領域Ａｒ４は、第１電極パッド４の図５で示す層構造と同様の構成であり、導電性ゲルシート４９Ｌの外周縁に沿う形状で、該導電性ゲルシート４９Ｌの外周縁よりも大きく形成され、平面視で略円形状に形成されている。この第４領域Ａｒ４は、第１〜第３領域Ａｒ１〜Ａｒ３よりも上側に配置されることから、センサ部４５Ｌの中心Ｐ３は、センサ部４５，４５Ｒの中心Ｐ１，Ｐ２よりも上側に位置している。
【００２９】
第１領域Ａｒ１の信号線４６は、上述したように、剥離フィルム５０Ｂ側から見て、第１領域Ａｒ１におけるセンサ部４５の中心Ｐ１から導電性ゲルシート４９の半径方向に沿って右斜め上方向に直線状に延出している。また、第３領域Ａｒ３の信号線４６Ｒは、剥離フィルム５０Ｂ側から見て、第３領域Ａｒ３におけるセンサ部４５Ｒの中心Ｐ２から導電性ゲルシート４９Ｒの半径方向に沿って左斜め上方向に直線状に延出している。
また、第４領域Ａｒ４の信号線４６Ｌは、図１０に示すように、剥離フィルム５０Ｂ側から見て、センサ部４５Ｌの中心Ｐ３から右方向に直線状に延出し、導電性ゲルシート４９の一部を横切って、信号線４６，４６Ｒの先端と同じ位置まで延びている。これら信号線４６，４６Ｒ，４６Ｌのそれぞれは、略Ｌ字状に延出し、かつ先端部が纏められており、これら信号線４６，４６Ｒ，４６Ｌが纏められた部位の先端に接続部４６１Ｂが設けられている。このため、接続部４６１Ｂの延出方向は、図１０の下方向に向けられている。つまり、コネクタ３の接続方向は、粘着シート４１Ｂの面方向で、かつ、センサ部４５，４５Ｒ，４５Ｌから導電性ゲルシート４９，４９Ｒ，４９Ｌの外周縁までの信号線４６，４６Ｒ，４６Ｌの延出方向とは異なる方向となる。
【００３０】
接続部４６１Ｂは、粘着シート４１Ｂにおける隣り合う導電性ゲルシート４９，４９Ｒ間に位置しており、複数の信号線４６，４６Ｒ，４６Ｌに対して１個設けられている。
また、この第３電極パッド４Ｂでは、粘着シート４１Ｂの平面視において、粘着シート４１Ｂにおけるコネクタ３が設けられる領域の上下方向（コネクタ３の接続部４６１Ｂへの接続方向に沿う方向）の最大寸法と、導電性ゲルシート４９，４９Ｒが設けられる各領域Ａｒ１，Ａｒ３の上下方向の最大寸法とは同じであり、導電性ゲルシート４９Ｌが設けられる第４領域Ａｒ４の上下方向の最大寸法は、これらよりも大きくなっている。
【００３１】
なお、第２領域Ａｒ２には、上記開口部４１１及び固定部材４１２と同形状の開口部４１１Ｂ及び固定部材４１２Ｂが設けられている。すなわち、接続部４６１Ｂ、開口部４１１Ｂ及び固定部材４１２Ｂは、隣り合う２つの導電性ゲルシート４９の間で余白となっている部分に設けられている。
この接続部４６１Ｂがコネクタ３に接続されると、各導電性ゲルシート４９，４９Ｒ，４９Ｌを介してセンサ部４５，４５Ｒ，４５Ｌに検出された生体電気信号が各信号線４６，４６Ｒ，４６Ｌ及び接続部４６１Ｂを介してコネクタ３に送信される。
【００３２】
［電極パッドの装着方法］
上記各電極パッド４，４Ａ，４Ｂのそれぞれは、図１１に示すように、母体６に装着される。例えば、図１１に示すように、１つの第１電極パッド４、２つの第２電極パッド４Ａ及び２つの第３電極パッド４Ｂが母体６の腹部に装着される。そして、各電極パッド４，４Ａ，４Ｂの各接続部４６１，４６１Ａ，４６１Ｂのそれぞれには、対応するコネクタ３が接続される。この際、各コネクタ３の固定部材３３は、対応する各電極パッド４，４Ａ，４Ｂの固定部材４１２，４１２Ａ，４１２Ｂに押し付けられることにより固定される。そして、胎児の生体電気信号の検出が実行される。
【００３３】
上記実施形態では、コネクタ３の固定部材３３の面ファスナー用係合面３３１を、面ファスナー用被係合面４１３を有する各電極パッド４，４Ａ，４Ｂの各固定部材４１２，４１２Ａ，４１２Ｂのそれぞれに固定することができることから、電極パッド４，４Ａ，４Ｂに装着されたコネクタ３を電極パッド４，４Ａ，４Ｂに固定することができる。これにより、電極パッド４，４Ａ，４Ｂにより母体６内の胎児の生体電気信号を検出する際に、母体６の動きや母体６内の胎児の胎動があった場合、及び、ケーブル２３が引っ張られた場合でも、検出された生体電気信号にノイズが混じることを抑制できる。
【００３４】
また、センサ部４５，４５Ｒ，４５Ｌの位置とコネクタ３との接続位置とがオフセットされているので、コネクタ３の接続時やケーブルの揺れがセンサ部４５，４５Ｒ，４５Ｌに直接作用することを抑制できる。これにより、センサ部４５，４５Ｒ，４５Ｌの揺れや移動を抑制でき、生体電気信号にノイズが混じることを抑制できる。
さらに、電極パッド４，４Ａ，４Ｂを構成する粘着シート４１，４１Ａ，４１Ｂの粘着面とは反対側の面に固定部材４１２，４１２Ａ，４１２Ｂを配置することができるので、コネクタ３の電極パッド４，４Ａ，４Ｂへの着脱を容易にできる。
【００３５】
第２電極パッド４Ａ及び第３電極パッド４Ｂは、複数のセンサ部４５，４５Ｒ，４５Ｌを備えていることから、複数のセンサ部４５，４５Ｒ，４５Ｌにより母体６内の胎児の生体電気信号をより多く検出することができる。
また、第２電極パッド４Ａ及び第３電極パッド４Ｂは、接続部４６１Ａ，４６１Ｂが１つしか設けられておらず、かつ、接続部４６１Ａ，４６１Ｂが隣り合う導電性ゲルシート４９，４９Ｒ間に位置しているので、それぞれの信号線４６，４６Ｒ，４６Ｌごとに接続部が設けられている場合に比べて、電極パッド４Ａ，４Ｂを小型化できる。また、接続部４６１Ａ，４６１Ｂが１つであるため、コネクタ３及びケーブル２３の数を少なくすることができ、検出した生体電気信号にノイズが混じることを抑制できる。
【００３６】
また、コネクタ３の接続方向がセンサ部４５，４５Ｒ，４５Ｌから導電性ゲルシート４９，４９Ｒ，４９Ｌの外周縁までの信号線４６，４６Ｌ，４６Ｒの延出方向とは異なる方向であるため、固定部材４１２，４１２Ａ，４１２Ｂを開口部４１１，４１１Ａ，４１１Ｂに隣り合う位置に配置した場合に、粘着シート４１，４１Ａ，４１Ｂの形状がセンサ部４５，４５Ｒ，４５Ｌから導電性ゲルシート４９，４９Ｒ，４９Ｌの外周縁までの信号線４６，４６Ｒ，４６Ｌの延出方向に長くなることがなく、粘着シート４１，４１Ａ，４１Ｂにおけるコネクタ３の接続方向に沿う最大寸法Ｌ２，Ｌ３を、導電性ゲルシート４９，４９Ｒ，４９Ｌが設けられる領域の上記方向における最大寸法Ｌ１と同じ又はこれよりも小さくできる。すなわち、電極パッド４，４Ａ，４Ｂを小型化できる。
さらに、コネクタ３が接続部４６１，４６１Ａ，４６１Ｂに接続された場合でも、コネクタ３の接続により生じる力が信号線４６，４６Ｒ，４６Ｌ及びセンサ部４５，４５Ｒ，４５Ｌに直接かからないので、電極パッド４，４Ａ，４Ｂが母体６から外れたり、これらが破損したりする可能性を低減できる。
【００３７】
また、電磁波シールド層４３を粘着面とセンサ部４５との間に設けることで、該センサ部４５が電磁波の影響を受けにくくなるので、センサ部４５により検出された生体情報に関する信号にノイズが混じることをさらに抑制できる。
また、固定部材３３，４１２，４１２Ａ，４１２Ｂが面ファスナーにより構成されているので、電極パッド４，４Ａ，４Ｂとコネクタ３との着脱を容易にできる。
【００３８】
また、本発明は上記実施形態に限定されるものではなく、本発明の趣旨を逸脱しない範囲において種々の変更を加えることが可能である。
例えば、上記実施形態では、第１電極パッド４は、粘着シート４１におけるコネクタ３が設けられる領域（第２領域Ａｒ２）のコネクタ３の接続方向に沿う最大寸法Ｌ２は、導電性ゲルシート４９が設けられる領域（第１領域Ａｒ１）のコネクタ３の接続方向に沿う最大寸法Ｌ１より小さくなっていることとしたが、これに限らず、例えば、図１２に示すような形状であってもよい。
本変形例に係る第１電極パッド４Ｃは、粘着シート４１Ｃ及び剥離フィルム５０Ｃのそれぞれが略矩形状に形成されている。この場合、粘着シート４１Ｃにおけるコネクタ３が設けられる領域のコネクタ３の接続方向に沿う最大寸法は、導電性ゲルシート４９が設けられる領域のコネクタ３の接続方向に沿う最大寸法と同じとなる。この場合であっても、上記実施形態と同様の効果を奏することができる。
【００３９】
上記実施形態では、最大で３つのセンサ部４５，４５Ｒ，４５Ｌを備える電極パッドを例示したが、これに限らず、例えば、電極パッドは、４つ以上のセンサ部を備える構成であってもよい。また、この場合、接続部４６１を２つのセンサ部４５に対して１つずつ等、接続部４６１を複数設けることとしてもよい。
【００４０】
上記実施形態では、固定部材３３がコネクタ３に設けられている例について説明したが、これに限らない。例えば、コネクタ３とともにケーブル２３に固定部材が設けられてもよい。
ケーブル２３に固定される固定部材７１は、図１３に示すように、上記固定部材３３と同様に、多数のフック状に起毛された面ファスナーにより構成されている。具体的には、固定部材７１は、基材７２と、基材７２の端部がケーブル２３を挟んで折りたたまれることにより形成される開口部７３と、基材７２の底面に位置し、多数の鍵状のフックを有する面ファスナー用係合面７４と、を有している。この開口部７３は、ケーブル２３の外径とほぼ同じ内径に形成され、ケーブル２３の長さ方向の途中位置に固定状態とすることができるが、若干の力を作用させれば、固定部材７１をケーブル２３に沿って移動させることができるようになっている。
【００４１】
また、固定部材７１の面ファスナー用係合面７４は、図１４に示すように、この面ファスナー用係合面７４に係合する面ファスナー用被係合面８１１を有する腹巻８１に着脱可能に構成されている。この腹巻８１は、多数のフックが設けられた面ファスナー用係合面７４に係合する素材（例えば、糸等）が細かく編まれて製造されているものである。このため、腹巻８１の表面は、図１５に示すように、布地の表面が起毛しているため、面ファスナー用被係合面８１１として機能する。これにより、固定部材７１をケーブル２３に沿って所望の位置に移動させた後、腹巻８１の表面（面ファスナー用被係合面８１１）に固定することができる。
【００４２】
このようなケーブル２３に設けられた固定部材７１は、上記腹巻８１に限らず、例えば、図１６に示すように、被験者６１に装着された包帯８２に固定されてもよい。この包帯８２は、例えば、伸縮性を有する弾性包帯により構成されている。このため、包帯８２も、図１５に示すように、表面が起毛しているため、面ファスナー用被係合面として機能する。これにより、固定部材７１は、包帯８２の表面の所望の位置に固定することができる。
なお、腹巻８１の表面又は包帯８２の表面に、固定部材７１に対応する多数のループを設けた面ファスナー用被係合面を別途設けることとしてもよい。
このような構成によれば、コネクタ３及びケーブル２３のいずれにも固定部材３３，７１が設けられているので、コネクタ３及びケーブル２３のそれぞれを確実に固定でき、コネクタ３が接続部４６１，４６１Ａ，４６１Ｂから抜けることや、ケーブル２３のねじれを抑制できる。また、ケーブル２３を介して送信される上記生体電気信号にノイズが混じることをさらに抑制できる。
なお、上記変形例では、コネクタ３及びケーブル２３のいずれにも固定部材３３，７１が設けられている例を説明したが、これに限らず、例えば、コネクタ３には固定部材３３を設けず、ケーブル２３にのみ固定部材７１を設けることとしてもよい。この場合であっても、少なくともケーブル２３が固定できるので、上記ノイズが混じることを抑制できる。
【００４３】
上記実施形態では、固定部材３３が多数のフックが設けられた面ファスナーであり、固定部材４１２が多数のループが設けられた面ファスナーであることとしたが、これに限らず、これらが逆であってもよいし、フック及びループの両方が植え込まれ、フック面とループ面との区別がない形状であってもよい。また、固定部材７１の面ファスナー用係合面７４も同様に、フック及びループの両方が植え込まれた形状であってもよい。さらに、固定部材３３として、コネクタ３の裏面に多数のフックを一体成形してもよい。
上記実施形態では、被験者は、母体６内にいる胎児としたが、これに限らず、母体そのものの他、乳幼児や成人等であってもよい。
【符号の説明】
【００４４】
１  生体情報検出装置
２  本体
２１  筐体
２２  表示部
２３  ケーブル（コネクタ装置）
２４  記録紙
３  コネクタ（コネクタ装置）
３１  ロック片
３２  開口部
３３  固定部材
３３１  面ファスナー用係合面
４  第１電極パッド（電極パッド）
４Ａ  第２電極パッド
４Ｂ  第３電極パッド
４１  粘着シート
４１Ａ  粘着シート
４１Ｂ  粘着シート
４１Ｃ  粘着シート
４１１  開口部
４１２  固定部材
４１３  面ファスナー用被係合面
４２  ＰＥＴフィルム
４３  電磁波シールド層
４４  第１絶縁層
４５  センサ部
４５Ｒ  センサ部
４５Ｌ  センサ部
４６  信号線
４６Ｒ  信号線
４６Ｌ  信号線
４６１  接続部
４６１Ａ  接続部
４６１Ｂ  接続部
４６２  カーボン層
４７  第２絶縁層
４９  導電性ゲルシート
４９Ｒ  導電性ゲルシート
４９Ｌ  導電性ゲルシート
５０  剥離フィルム
５０Ａ  剥離フィルム
５０Ｂ  剥離フィルム
５０Ｃ  剥離フィルム
６  母体
６１  被験者
７１  固定部材
７２  基材
７３  開口部
７４  面ファスナー用係合面
８１  腹巻
８１１  面ファスナー用被係合面
８２  包帯
【図１】
2019067715.tif 000003
【図２】
2019067715.tif 000004
【図３】
2019067715.tif 000005
【図４】
2019067715.tif 000006
【図５】
2019067715.tif 000007
【図６】
2019067715.tif 000008
【図７】
2019067715.tif 000009
【図８】
2019067715.tif 000010
【図９】
2019067715.tif 000011
【図１０】
2019067715.tif 000012
【図１１】
2019067715.tif 000013
【図１２】
2019067715.tif 000014
【図１３】
2019067715.tif 000015
【図１４】
2019067715.tif 000016
【図１５】
2019067715.tif 000017
【図１６】
2019067715.tif 000018